(57)【要約】      （修正有）【課題】医療監視システムを提供する。【解決手段】本発明の医療監視システム１は、視覚画像を使用して光学パターンの形状の変化を検出することで被介護者の移動または存在を判断する健康管理及び空間監視システムである。本発明は、光源ユニットと、画像キャプチャユニット１２と、画像処理ユニット１３と、警告ユニットと、を備える。画像キャプチャユニットにより、横臥装置の周辺に架設される光源ユニットから発射された光学パターンの形状の変化等をキャプチャするメカニズムは、横臥装置上の被介護者が横になる以外に、起き上がる、寝返りをうつ、手を振る等の動作を効果的に判断し、横臥装置の周辺での介護者または非関係者等の動きを検出し、横臥装置上の被介護者の行動の全面的な監視及び横臥装置の周辺の状況の監視等の主要な長所を確実に達成する。【選択図】図１
2019091453.tif 000002
【特許請求の範囲】
【請求項１】
横臥装置の一側部に設置され、少なくとも１つの光学パターンを有するビームを前記横臥装置に向けて発射する光源ユニットと、
前記光源ユニットの一側部に設置され、光学レンズ及び前記光学レンズに接続される感光素子を含む画像キャプチャユニットと、
前記画像キャプチャユニットに電気的に接続され、受信モジュール及び前記受信モジュールに電気的に接続される判断モジュールを含む画像処理ユニットと、
前記判断モジュールから送信された信号を受信すると共に警告信号を送信する警告ユニットと、を少なくとも備え、
前記光学パターンは格子、直線、十字形、規則的に配列されるドット、または不規則的に配列されるドットのうちの１つであると共に、少なくとも１つの対象物に照射されることで変化し、
前記光学レンズは前記対象物及び前記光学パターンの複数の画像を連続的にキャプチャして前記感光素子上に結像させ、
前記光源ユニットはフラッシュ式光源であり、前記フラッシュ式光源のフラッシュ頻度は前記画像キャプチャユニットの画像のキャプチャ頻度と同じであり、
前記受信モジュールは前記画像キャプチャユニットによりキャプチャされた複数の画像を受信し、且つ特定の時点にキャプチャされた画像を初期画像と定義され、前記判断モジュールは引き続きキャプチャされた画像を前記初期画像と比較し、比較した結果が不一致の場合、前記判断モジュールが信号を送信することを特徴とする医療監視システム。
【請求項２】
前記ビームの波長は８００ナノメートル以上であることを特徴とする請求項１に記載の医療監視システム。
【請求項３】
前記ビームの波長は１０００ナノメートル〜１５００ナノメートルの間の範囲であることを特徴とする請求項２に記載の医療監視システム。
【請求項４】
前記画像キャプチャユニットによりキャプチャされた複数の画像を保存するように、前記画像キャプチャユニットに電気的に接続される保存ユニットが更に設置されることを特徴とする請求項１に記載の医療監視システム。
【請求項５】
前記画像処理ユニットは前記画像キャプチャユニットによりキャプチャされた前後の画像の差異を更に比較することにより、前記光学パターンの変化を判断することを特徴とする請求項１に記載の医療監視システム。
【発明の詳細な説明】
【技術分野】
【０００１】
本発明は、医療監視システム（healthcare monitoring system）に関し、より詳しくは、視覚画像を使用して光学パターンの形状の変化を検出することで被介護者の移動または存在を判断する健康管理及び空間監視システムに関する。
【背景技術】
【０００２】
高齢化の進行及び医療技術及び器材の進歩に伴い、過去に多くの病院で行われていた医療介護行為が現在では高齢者や病人等の被介護者の自宅で行うことができるようになっている。このため、自宅介護関連分野及び産業が勃興発展する要因となっている。
【０００３】
しかしながら、現在多くの自宅介護や介護施設では介護士を雇用して被介護者の介護を行っているが、病を患っていない多くの高齢者が１人で家に居ることも多く、或いは独居老人等も存在し、これらの病気を患っていない高齢者や独居老人は介護者を雇って介護を行う必要もない。但し、これらの病気を患っていない高齢者や独居老人は老衰や健康状態の悪化により行動が不自由になることもあり、自宅で転んだり、さらに悪くすれば意識を失って倒れたり、心筋梗塞を起こす等の重大な事態に至ることもあった。
また、上述の問題を解決するために用いられる従来の関連する研究として、例えば、いくつかの老人介護システムでは、高齢者に傾きセンサーを装着し、高齢者が転んだ場合に傾き信号を検出し、関連する警告メッセージを家族が持つ人間動作通信装置に送信し、家族に即時救護を促す。しかしながら、高齢者が傾きセンサーの装着を忘れたり、傾きセンサーが高齢者の身体から外れたりすると、高齢者の転倒に対する有効的な監視が行えなくなった。上述の問題を解決するため、従来の特許文献では、例えば、検出器及びこの検出器を備えた高齢者ケアシステムとの発明が記載されている（例えば、特許文献１参照）。この特許は、検出モジュールと、処理モジュールと、無線送受信モジュールと、を備える。検出モジュールは前方を物体が通ったかどうかを検出する。処理モジュールは検出モジュールに接続される。無線送受信モジュールは処理モジュールに接続される。検出モジュールが所定の時間間隔内に前方を物体が通過したことを検出しなかった場合、処理モジュールが警告信号を生成し、無線送受信モジュールにより警告信号が送信される。この特許は主に赤外線検出方式を利用して前方の物体の通過を検出し、処理モジュールを駆動させて照明モジュールを起動させ、終夜灯に類似する機能を提供して高齢者が夜間に光量不足のために転倒する事故を効果的に防止する。赤外線検出モジュールが所定の時間間隔内に前方の物体の通過を検出できなかった場合、処理モジュールを駆動させて警告信号を生成させ、クラウドサーバーを介して家族が所持するモバイル通信装置に送信し、家族に即時救援を促す。
【先行技術文献】
【特許文献】
【０００４】
【特許文献１】台湾実用新案登録第５４９４０５号公報
【発明の概要】
【発明が解決しようとする課題】
【０００５】
しかしながら、赤外線の態様を呈する検出装置は固定の位置で特定の固定動作に対してのみ検出が可能であり、画像によって観察を補助することはできなかった。高齢者が赤外線検出領域を通過しないことは問題が発生していないことを意味せず、こういった場合は警告信号が誤作動と見做される。このため、如何なる革新的なハードウェア設計により、被介護者がベッド上で横になる以外の起き上がる、寝返りをうつ、または手を振る等の動作を効果的に判断し、介護者または非関係者等の病床周辺での動きを検出するかが、医療監視システム等の関連産業のデベロッパー及び関係する研究者が解決を目指して努力を続ける課題であった。
そこで、本発明者は上記の欠点が改善可能と考え、鋭意検討を重ねた結果、合理的設計で上記の課題を効果的に改善する本発明の提案に到った。
【０００６】
本発明は、以上の従来技術の課題を解決する為になされたものである。即ち、本発明の目的は、医療監視システムを提供する。特に視覚画像を使用して光学パターンの形状の変化を検出することで被介護者の移動または存在を判断する健康管理及び空間監視システムを指す。主に横臥装置の周辺に架設される光源ユニットから発射された光学パターンの形状の変化等が画像キャプチャユニットによりキャプチャされるメカニズムにより、横臥装置上の被介護者が横になる以外に、起き上がる、寝返りをうつ、手を振る等の動作を効果的に判断し、横臥装置の周辺での介護者または非関係者等の動きを検出する。従来の赤外線送受信機または重力検出器を使用しての介護監視では特定の固定動作の検出しか行なえず、装着方式検出器では被介護者の生理信号しか分析できない等の欠点を解決し、横臥装置上の被介護者の行動の全面的な監視及び横臥装置の周辺の状況の監視等の主要な長所を確実に達成する。
【課題を解決するための手段】
【０００７】
上述した課題を解決し、目的を達成するために、本発明に係る医療監視システムの特徴は、光源ユニットと、画像キャプチャユニットと、画像処理ユニットと、警告ユニットと、を少なくとも備える。光源ユニットは横臥装置の側部に設置され、横臥装置に向けて少なくとも１つの光学パターンを有するビームを発射する。光学パターンは少なくとも１つの対象物に照射されることで変化する。画像キャプチャユニットは光源ユニットの側部に設置され、光学レンズ及び光学レンズに接続される感光素子を含む。光学レンズは対象物及び光学パターンの複数の画像を連続的にキャプチャして感光素子上で結像させる。画像処理ユニットは画像キャプチャユニットに電気的に接続され、受信モジュール及び受信モジュールに電気的に接続される判断モジュールを含む。受信モジュールは画像キャプチャユニットによりキャプチャされた複数の画像を受信し、且つ特定の時点にキャプチャされた画像は初期画像と定義され、判断モジュールは引き続きキャプチャされた画像を初期画像と比較し、比較結果が不一致の場合、判断モジュールが信号を送信する。警告ユニットは判断モジュールから送信された信号を受信すると共に警告信号を送信する。
【０００８】
本発明の好適な態様に係る医療監視システムにおいて、画像キャプチャユニットによりキャプチャされた複数の画像を保存するように画像キャプチャユニットに電気的に接続される保存ユニットが更に設置される。
【０００９】
本発明の好適な態様に係る医療監視システムにおいて、横臥装置は自宅のベッド、医療用ベッド、電動ベッド、介護ベッド、フラットベッド、和式布団、空気ベッド、ソファーベッド、ベビーベッド、ソファー、またはベンチ等のうちの１つの装置である。
【００１０】
本発明の好適な態様に係る医療監視システムにおいて、光源ユニットは発光ダイオード、レーザーダイオード、またはビームを出力するための発光素子等のうちの１つの装置である。
【００１１】
本発明の好適な態様に係る医療監視システムにおいて、ビームの波長は８００ナノメートル以上であり、好ましくは、近赤外励起ナノ蛍光体のバイオメディカルイメージング応用（Near-infrared window in biological tissue）に適合する１０００ナノメートル〜１５００ナノメートルの間の範囲である。
【００１２】
本発明の好適な態様に係る医療監視システムにおいて、光学パターンは格子、直線、十字形、規則的に配列されるドット、または不規則的に配列されるドット等のうちの１つの態様である。
【００１３】
本発明の好適な態様に係る医療監視システムにおいて、対象物は動的対象物または静的対象物等のうちの１つの態様或いは両者の組み合わせを含む。
【００１４】
本発明の好適な態様に係る医療監視システムにおいて、光学レンズは魚眼レンズ、広角レンズ、または標準レンズ等のうちの１つの装置である。
【００１５】
本発明の好適な態様に係る医療監視システムにおいて、感光素子は電荷結合素子（Charge Coupled Device、CCD）または相補型金属酸化膜半導体（Complementary Metal-Oxide-Semiconductor、CMOS）等のうちの１つの装置である。
【００１６】
本発明の好適な態様に係る医療監視システムにおいて、警告ユニットは警報機、表示器、またはモバイル通信装置等のうちの１つの装置である。
【００１７】
本発明の好適な態様に係る医療監視システムにおいて、警告信号は警告ユニットが発出する音声、光線、画像、または振動等のうちの１つの形式或いはそれらの２つ以上の組み合わせである。
【００１８】
本発明の好適な態様に係る医療監視システムにおいて、クラウドサーバーが更に設置され、判断モジュール、クラウドサーバー、及び警告ユニットは無線送受信技術により互いに接続される。
【００１９】
本発明の好適な態様に係る医療監視システムにおいて、無線送受信技術はブルートゥース（Bluetooth）通信、赤外線（Infrared、IR）通信、近距離無線通信（Near Field Communication、NFC）、無線ＬＡＮ（Wireless Local Area Network、WLAN）、ＷｉＧｉｇ（Wireless Gigabit Alliance）、ＺｉｇＢｅｅ、ワイヤレスＵＳＢ（Wireless USB）、超広帯域無線システム（Ultra Wide Band、UWB）、またはＷｉ−Ｆｉ等のうちの１つのプロトコル或いは２つ以上の組み合わせである。
【００２０】
本発明の好適な態様に係る医療監視システムにおいて、光源ユニットはフラッシュ式光源であり、フラッシュ式光源のフラッシュ頻度は画像キャプチャユニット画像のキャプチャ頻度と同じである。
【００２１】
本発明の好適な態様に係る医療監視システムにおいて、画像処理ユニットは画像キャプチャユニットによりキャプチャされた前後の画像の差異を更に比較することにより、光学パターンの変化を判断する。
【発明の効果】
【００２２】
このように、本発明の医療監視システムは主に横臥装置の周辺に架設される光源ユニットが発射する光学パターンの形状の変化等が画像キャプチャユニットによりキャプチャされるメカニズムにより、横臥装置上の被介護者が横になる以外に、起き上がる、寝返りをうつ、ベッドを離れる、または手を振る等の動作が効果的に判断され、横臥装置の周辺領域の介護者または非関係者等の動きが検出され、横臥装置上の被介護者の行動の全面的な監視、横臥装置の周辺の状況の監視、及び設置コストの削減等の主な長所を確実に達成する。また、本発明の医療監視システムは主に光学パターンの形状の変化等の態様により、従来の赤外線送受信機または重力検出器を使用した介護監視では特定の固定動作しか検出できず、装着式検出器では被介護者の生理信号しか分析できない等の欠点を有効的に解決し、大範囲の監視空間で起こる全ての動的対象物の動作及び状況をエラーを出さずに監視するという長所を確実に達成する。最後に、本発明の医療監視システムは主に、赤外線の光学パターンを発射する光源ユニットが架設されるハードウェア設計により、深夜に光源の照射がない環境でも画像キャプチャユニットに有効的な光源を提供し、視覚画像方式により光学パターンの形状の変化をキャプチャする態様により、全天候型の被介護者の行動及び状態の監視、及び全天候型の空間中の安全監視の実行等の長所を確実に達成する。
【図面の簡単な説明】
【００２３】
【図１】本発明の一実施形態に係る医療監視システムのシステム構成を示すブロック図である。
【図２】本発明の一実施形態に係る感知撮影システムのシステム架設を示す概略図である。
【発明を実施するための形態】
【００２４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２５】
図１は本発明の一実施形態に係る医療監視システムのシステム構成を示すブロック図であり、図２は本発明の一実施形態に係る深度感知撮影システムのシステム架設を示す概略図である。本発明の一実施形態に係る医療監視システム１は、以下の部材を少なくとも備える。
【００２６】
横臥装置２の側部に設置される光源ユニット１１。光源ユニット１１は横臥装置２に向けて少なくとも１つの光学パターン１１１１を有するビーム１１１を発射し、光学パターン１１１１は少なくとも１つの対象物３に照射されることで変化する。横臥装置２は自宅のベッド、医療用ベッド、電動ベッド、介護ベッド、フラットベッド、和式布団、空気ベッド、ソファーベッド、ベビーベッド、ソファー、またはベンチ等のうちの１つの装置である。光源ユニット１１は発光ダイオード、レーザーダイオード、またはビームを出力する発光素子等のうちの１つの装置である。ビーム１１１の波長は８００ナノメートル〜９００ナノメートルの間の範囲である。光学パターン１１１１は格子、直線、十字形、規則的に配列されるドット、或いは不規則的に配列されるドット等のうちの１つの態様である。対象物３は動的対象物または静的対象物等のうちの１つの態様又は両者の組み合わせを含む。本発明の好ましい実施形態では、介護ベッド態様を呈する横臥装置２の前端部に設置されると共に発光ダイオード（LED）態様を呈する光源ユニット１１が、規則的に配列されるドット態様を呈する光学パターン１１１１を有するビーム１１１を介護ベッドのベッド面及び周辺領域に発射する。ビーム１１１の波長は８００ｎｍ〜９００ｎｍの間の範囲であり、最も好ましくは８４０ｎｍであり、且つ介護ベッド上に横になる高齢者である動的対象物が、介護ベッド上に投射される光学パターン１１１１の形状の変化を生じさせる。横臥装置２の前端部は高齢者の頭部の位置となる。然しながら、上述の光源ユニット１１の設置位置、光学パターン１１１１の構成態様、形状、または数量、及び横臥装置２の種類は、分かりやすく説明するためのものにすぎず、本発明をそれらに制限するためのものではない。この技術に習熟する者ならば、異なる光源ユニット１１の架設位置、光学パターン１１１１の構成態様、形状、及び数量であっても、その形状の変化を視覚画像により識別可能であればよく、異なる種類の横臥装置２であっても、対象物３の横臥に使用可能であればよく、本発明の実際の実施に影響はないことを理解できる。
【００２７】
光源ユニット１１の側部に設置される画像キャプチャユニット１２。画像キャプチャユニット１２は光学レンズ１２１及び光学レンズ１２１に接続される感光素子１２２を備える。光学レンズ１２１は対象物３及び光学パターン１１１１の複数の画像を連続的にキャプチャして感光素子１２２上で結像させる。光学レンズ１２１は魚眼レンズ、広角レンズ、または標準レンズ等のうちの１つの装置である。感光素子１２２は電荷結合素子（CCD）または相補型金属酸化膜半導体（CMOS）等のうちの１つの装置である。本発明の好ましい実施形態では、画像キャプチャユニット１２は光源ユニット１１と同様に介護ベッドの前端部に設置されると共に光源ユニット１１との間に適度な距離を空ける。魚眼態様を呈する光学レンズ１２１は介護ベッドのベッド面及び周辺領域の対象物３並びに光学パターン１１１１の複数の画像をキャプチャして相補型金属酸化膜半導体（CMOS）態様を呈する感光素子１２２上で結像させる。対象物３は限定されないが、例えば、介護ベッド上に横になる高齢者、介護ベッドの周辺領域の介護者、突然入ってきた外部の人間等のうちの１人の対象物３または２人以上の組み合わせである。
【００２８】
画像キャプチャユニット１２に電気的に接続される画像処理ユニット１３。画像処理ユニット１３は受信モジュール１３１及び受信モジュール１３１に電気的に接続される判断モジュール１３２を備え、受信モジュール１３１は画像キャプチャユニット１２によりキャプチャされた複数の画像を受信し、特定の時点にキャプチャされた画像は初期画像Ｐ０と定義される。判断モジュール１３２は引き続きキャプチャされた画像を初期画像Ｐ０と比較し、比較結果が不一致の場合、判断モジュール１３２が信号を送信する。本発明の好ましい実施形態では、画像処理ユニット１３に内蔵される受信モジュール１３１は、画像キャプチャユニット１２によりキャプチャされた複数の画像を受信すると共に判断モジュール１３２に送信する。受信モジュール１３１は、画像中の特定の時点Ｔ０にキャプチャされた画像を初期画像Ｐ０と定義し、判断モジュール１３２が引き続きの時点Ｔ１にキャプチャされた画像Ｐ１を初期画像Ｐ０と比較し、比較結果が不一致の場合、判断モジュール１３２が信号を送信し、即ち判断モジュール１３２は前記時点Ｔ０後の他の時点Ｔ１にキャプチャされた画像Ｐ１と初期画像Ｐ０との画像の差異を比較し、画像Ｐ１と初期画像Ｐ０との間に差異が存在した場合、判断モジュール１３２が信号を伝送する。
【００２９】
判断モジュール１３２から送信された信号を受信し、警告信号を送信する警告ユニット１４。警告ユニット１４は警報機、表示器、またはモバイル通信装置等のうちの１つの装置である。前記警告信号は、警告ユニット１４が発出する音声、光線、画像、または振動等のうちの１つの形式または２つ以上の組み合わせである。また、医療監視システム１にはクラウドサーバー（図示せず）が更に設置され、判断モジュール１３２、クラウドサーバー、及び警告ユニット１４は無線送受信技術により相互に接続される。無線送受信技術はブルートゥース通信、赤外線通信、近距離無線通信（NFC）、無線ＬＡＮ（WLAN）、ＷｉＧｉｇ、ＺｉｇＢｅｅ、ワイヤレスＵＳＢ（Wireless USB）、超広帯域無線システム（UWB）、またはＷｉ−Ｆｉ等のうちの１つのプロトコル或いは２つ以上の組み合わせである。本発明の好ましい実施形態では、判断モジュール１３２は無線ＬＡＮ（WLAN）の無線送受信技術によりクラウドサーバーに電気的に接続され、クラウドサーバーも無線ＬＡＮ（WLAN）によりモバイル通信装置態様を呈する警告ユニット１４に電気的に接続される。判断モジュール１３２が画像Ｐ１と初期画像Ｐ０との間の画像の差異を比較した後に送信した信号が、クラウドサーバーを経由して接続されるモバイル通信装置に送信され、モバイル通信装置は音声または画像方式によりモバイル装置の所有者に高齢者の状態について通知する。判断モジュール１３２は差異が存在する画像をモバイル通信装置にも送信する。
【００３０】
なお、医療監視システム１には、画像キャプチャユニット１２によりキャプチャされた複数の画像を保存するように画像キャプチャユニット１２に電気的に接続される保存ユニット１５が更に設置される。本発明の好ましい実施形態において、保存ユニット１５は画像キャプチャユニット１２に電気通信により相互に接続され、画像キャプチャユニット１２によりキャプチャされた画像は保存ユニット１５に保存され、本発明の医療監視システム１や使用者によって使用される。
【００３１】
さらに、光源ユニット１１はフラッシュ式光源であり、フラッシュ式光源のフラッシュ頻度は画像キャプチャユニット１２の画像のキャプチャ頻度と同じである。画像処理ユニット１３は画像キャプチャユニット１２によりキャプチャされた前後の画像の差異を更に比較することにより、光学パターン１１１１の変化を判断する。本発明の他の好ましい実施形態では、光源ユニット１１は明滅態様を呈するフラッシュ式光源であり、そのフラッシュの頻度は画像キャプチャユニット１２の画像のキャプチャ頻度と同じである。即ち、光源ユニット１１が光学パターン１１１１を有するビーム１１１を発射して光ると、画像キャプチャユニット１２が対象物３及び光学パターン１１１１の画像をキャプチャすると共に画像処理ユニット１３に送信し、引き続き光源ユニット１１が暗転した後、画像キャプチャユニット１２が対象物３の画像を再びキャプチャすると共に画像処理ユニット１３に送信し、画像処理ユニット１３は前後２つの時点にキャプチャされた画像を減算して比較し、前後２つの画像の差異が光学パターン１１１１が存在するかどうかのみであるため、前後２つの画像の減算後に光学パターン１１１１の画像をのみが残し、画像処理ユニット１３が光学パターン１１１１の形状の変化をより容易に判断可能になる態様により、対象物３により変化した光学パターン１１１１の形状を確定する。
【００３２】
以下は、本発明の目的、特徴、及び達成しようとする効果について更なる理解を促すため、本発明の医療監視システム１の具体的な実際の実施形態を例示し、本発明の医療監視システム１の実際の応用範囲を更に証明するが、本発明の範囲はどのような形式にも制限されない。被介護者が１人で家におり、横臥装置２の介護ベッド上に横になっている場合、家族や介護者が本発明の医療監視システム１を使用すると、横臥装置２の周辺に架設された光源ユニット１１が発射する光学パターン１１１１の形状の変化等が画像キャプチャユニット１２によりキャプチャされるメカニズムにより、横臥装置２上の被介護者が横になる以外に、起き上がる、寝返りをうつ、または手を振る等の動作が効果的に判断され、介護者または非関係者等の横臥装置２の周辺での動きが検出される。これにより、従来の赤外線送受信機または重力検出器を使用しての介護監視では特定の固定動作のみしか検出できず、装着式検出器では被介護者の生理信号のみしか分析できない等の欠点を解決し、横臥装置２上の被介護者の行動の全面的な監視、及び横臥装置２の周辺の状況の監視等の主な長所を確実に達成する。まず、光源ユニット１１を準備する。光源ユニット１１は横臥装置２の側部に設置され、横臥装置２に向けて少なくとも１つの光学パターン１１１１を有するビーム１１１を発射する。光学パターン１１１１は少なくとも１つの対象物３に照射されることで変化する。次いで、画像キャプチャユニット１２を準備する。画像キャプチャユニット１２は光源ユニット１１の側部に設置され、光学レンズ１２１及び光学レンズ１２１に接続される感光素子１２２を備える。光学レンズ１２１は対象物３及び光学パターン１１１１の複数の画像を連続的にキャプチャして感光素子１２２上で結像させる。次は、画像処理ユニット１３を準備する。画像処理ユニット１３は画像キャプチャユニット１２に電気的に接続され、受信モジュール１３１及び受信モジュール１３１に電気的に接続される判断モジュール１３２を含み、受信モジュール１３１は画像キャプチャユニット１２によりキャプチャされる複数の画像を受信すると共に特定の時点にキャプチャされた画像を初期画像Ｐ０と定義する。判断モジュール１３２は引き続きキャプチャされた画像を初期画像Ｐ０と比較し、比較結果が不一致の場合、判断モジュール１３２が信号を送信する。最後に、警告ユニット１４を準備する。警告ユニット１４は判断モジュール１３２から送信された信号を受信すると共に警告信号を送信する。本発明の医療監視システム１のハードウェアの設置が完成した後、光学レンズ１２１が介護ベッド上に横になる被介護者、周辺領域の対象物３、及び光学パターン１１１１等の複数の画像をキャプチャすると共に感光素子１２２上で結像させ、画像処理ユニット１３の受信モジュール１３１に送信する。受信モジュール１３１は特定の時点Ｔ０にキャプチャされた画像を初期画像Ｐ０と定義し、即ち、初期画像Ｐ０は被介護者が横臥装置２上に横になる画像であり、判断モジュール１３２は引き続きの時点Ｔ１にキャプチャされた画像Ｐ１を初期画像Ｐ０と比較する。画像Ｐ１は限定されないが、例えば、被介護者が手を振る、起き上がる、またはベッドを離れる等の動作の画像である。これらの動作が被介護者に照射される光学パターン１１１１を変化させ、判断モジュール１３２が画像Ｐ１を初期画像Ｐ０と比較した結果が不一致であった場合、判断モジュール１３２はモバイル通信装置態様を呈する警告ユニット１４に対して信号を送信し、モバイル通信装置は音声または画像方式でモバイル装置の所有者に高齢者の状態を通知する。判断モジュール１３２は差異が存在する画像をモバイル通信装置にも送信する。また、本発明の光学パターン１１１１は横臥装置２のベッド面及び周辺領域をカバーし、よって、非関係者等が横臥装置２のベッド近辺に近付いた場合でも、光学パターン１１１１の形状が変化し、判断モジュール１３２がその変化を判断した後、信号を送信して関係者等に非関係者等が侵入したという状態を通知する。
【００３３】
上述の実施の説明から分かるように、本発明の医療監視システムと従来の技術とを比べると、以下の長所を有する。
【００３４】
１．本発明の医療監視システムは主に横臥装置の周辺に架設される光源ユニットから発射された光学パターンの形状の変化等が画像キャプチャユニットによりキャプチャされるメカニズムにより、横臥装置上の被介護者が横になる以外に、起き上がる、寝返りをうつ、ベッドから離れる、または手を振る等の動作が効果的に判断され、横臥装置の周辺領域の介護者または非関係者等の動きが検出され、横臥装置上の被介護者の行動の全面的な監視、横臥装置周辺の状況の監視、及び設置コストの削減等の主な長所を確実に達成する。
【００３５】
２．本発明の医療監視システムは主に光学パターンの形状の変化等の態様により、従来の赤外線送受信機または重力検出器を使用しての介護監視では特定の固定動作のみしか検出できず、装着式検出器では被介護者の生理信号しか分析できない等の欠点を有効的に解決し、大範囲の監視空間中の全ての動的対象物の動作及び状況のエラーのない監視という長所を確実に達成する。
【００３６】
３．本発明の医療監視システムは主に、赤外線の光学パターンを発射する光源ユニットが架設されるハードウェア設計により、深夜に光源の照射がない環境でも画像キャプチャユニットに有効的な光源が提供され、視覚画像方式により光学パターンの形状の変化がキャプチャされる態様により、全天候型の被介護者の行動及び状態の監視、及び全天候型の空間中の安全監視の実行等の長所を確実に達成する。
【００３７】
以上を総合すると、本発明の医療監視システムは、上述の実施形態により、様々な使用効果を達成する。
【００３８】
以上、本発明の実施形態について図面を参照して詳述したが、具体的な構成はこの実施形態に限られるものではなく、本発明の要旨を逸脱しない範囲の設計変更等も含まれる。
【符号の説明】
【００３９】
１        医療監視システム
１１      光源ユニット
１１１    ビーム
１１１１  光学パターン
１２      画像キャプチャユニット
１２１    光学レンズ
１２２    感光素子
１３      画像処理ユニット
１３１    受信モジュール
１３２    判断モジュール
１４      警告ユニット
２        横臥装置
３        対象物
【図１】
2019091453.tif 000003
【図２】
2019091453.tif 000004